(57)【要約】【課題】壁の組み立てを邪魔せずに、壁への押し付け力を確保できる乾式目地の取付構造および乾式目地を提供する。【解決手段】水まわりユニットルームにおける乾式目地の取付構造において、乾式目地は、洗い場床に接続されている基端部と、使用者の操作によって移動可能な先端部と、を有し、壁側へ向かって変位した乾式目地の先端部が壁に当接した状態において、先端部が壁側から離れる方向へ戻らないようにロックされるロック構造を有する。【選択図】図２
2020002754.tif 000002
【特許請求の範囲】
【請求項１】
水まわりユニットルームに設置される洗い場床と、
前記洗い場床に載置される壁と、
前記洗い場床と前記壁とに当接することで前記洗い場床と前記壁との接続部分を覆う乾式目地と、
を有する水まわりユニットルームにおける乾式目地の取付構造において、
前記乾式目地は、前記洗い場床に接続されている基端部と、使用者の操作によって移動可能な先端部と、を有し、
前記壁側へ向かって変位した前記乾式目地の前記先端部が前記壁に当接した状態において、前記先端部が前記壁側から離れる方向へ戻らないようにロックされるロック構造を有することを特徴とする水まわりユニットルームにおける乾式目地の取付構造。
【請求項２】
前記乾式目地は、前記先端部の前記壁側へ向かっての変位に追従して移動する突起部をさらに有し、
前記突起部の先端の移動軌道に、前記突起部とともに前記ロック構造を構成するロック部が設けられ、
前記突起部の前記先端が前記ロック部に当接することで、前記先端部が前記壁側から離れる方向へ戻らないようにロックされる請求項１記載の乾式目地の取付構造。
【請求項３】
前記ロック部は、段差をもっている請求項２記載の乾式目地の取付構造。
【請求項４】
前記乾式目地は、前記先端部の変位の支点となる薄肉部を有し、
前記先端部が前記壁側から離れる方向へ戻らないようにロックされた状態において、前記薄肉部の下方に前記突起部が位置する請求項２または３に記載の乾式目地の取付構造。
【請求項５】
水まわりユニットルームに設置される浴槽と、
前記浴槽のリムの上面に載置される壁と、
前記リムと前記壁とに当接することで前記リムと前記壁との接続部分を覆う乾式目地と、
を有する水まわりユニットルームにおける乾式目地の取付構造において、
前記乾式目地は、前記リムに接続されている基端部と、使用者の操作によって移動可能な先端部と、を有し、
前記壁側へ向かって変位した前記乾式目地の前記先端部が前記壁に当接した状態において、前記先端部が前記壁側から離れる方向へ戻らないようにロックされるロック構造を有することを特徴とする水まわりユニットルームにおける乾式目地の取付構造。
【請求項６】
水まわりユニットルームに設置される壁と、
前記壁に載置される天井と、
前記天井と前記壁とに当接することで前記天井と前記壁との接続部分を覆う乾式目地と、
を有する水まわりユニットルームにおける乾式目地の取付構造において、
前記乾式目地は、前記天井に接続されている基端部と、使用者の操作によって移動可能な先端部と、を有し、
前記壁側へ向かって変位した前記乾式目地の前記先端部が前記壁に当接した状態において、前記先端部が前記壁側から離れる方向へ戻らないようにロックされるロック構造を有することを特徴とする水まわりユニットルームにおける乾式目地の取付構造。
【請求項７】
基端部と、
使用者の操作によって移動可能な先端部であって、前記基端部が水まわりユニットルームに設置される洗い場床、浴槽のリム、または天井に接続された状態で、前記洗い場床または前記浴槽の前記リムの上面に載置される、または前記天井が載置される壁に当接して、前記洗い場床、前記リム、または前記天井と、前記壁との接続部分を覆うことが可能な先端部と、
前記壁側へ向かって変位した前記乾式目地の前記先端部が前記壁に当接した状態において、前記先端部が前記壁側から離れる方向へ戻らないようにロックするロック構造と、
を有することを特徴とする乾式目地。
【発明の詳細な説明】
【技術分野】
【０００１】
本発明は、乾式目地の取付構造および乾式目地に関する。
【背景技術】
【０００２】
ユニットバスルームやシャワールーム等の水まわりユニットルームを組み立てる際、洗い場床や浴槽のリム上面などの床面と壁との接続部分を乾式目地で覆うことで、意匠性を担保する技術が知られている。例えば、特許文献１では、基端部が洗い場床に接続されている乾式目地の先端部を、施工前に予め洗い場床にテープなどで貼り付けておき、壁を洗い場床に接続させた後、乾式目地の先端部と洗い場床との接触状態を解除して、乾式目地の先端部と壁とを接触させることが開示されている。
【先行技術文献】
【特許文献】
【０００３】
【特許文献１】特開２０１７−９５８７４号公報
【発明の概要】
【発明が解決しようとする課題】
【０００４】
しかしながら、乾式目地の先端部を床面に貼り付けている際に、乾式目地の先端部の復元力（乾式目地の先端部が壁側に移動しようとする力）が強いと、乾式目地の先端部と床面との接触状態が解除されてしまい、壁と床面との接続作業の邪魔となってしまう。一方で、乾式目地の先端部の復元力が弱いものであると、乾式目地の先端部と床面との接触状態が勝手に解除されにくいものの、乾式目地の先端部と床面との接触状態を解除した際に、しっかりと乾式目地の先端部と壁が接触してくれない。
【０００５】
そこで、本発明は、壁の組み立てを邪魔せずに、壁への押し付け力を確保できる乾式目地の取付構造および乾式目地を提供する。
【課題を解決するための手段】
【０００６】
第１の発明の乾式目地の取付構造は、水まわりユニットルームに設置される洗い場床と、前記洗い場床に載置される壁と、前記洗い場床と前記壁とに当接することで前記洗い場床と前記壁との接続部分を覆う乾式目地と、を有する水まわりユニットルームにおける乾式目地の取付構造において、前記乾式目地は、前記洗い場床に接続されている基端部と、使用者の操作によって移動可能な先端部と、を有し、前記壁側へ向かって変位した前記乾式目地の前記先端部が前記壁に当接した状態において、前記先端部が前記壁側から離れる方向へ戻らないようにロックされるロック構造を有することを特徴とする。  
第１の発明によれば、乾式目地の先端部の復元力（壁に対する押し付け力）が比較的弱い場合であっても、振動等により先端部が壁から離れてしまうことを防止でき、先端部を壁にしっかりと接触させた状態を維持できる。  
第２の発明は、第１の発明において、前記乾式目地は、前記先端部の前記壁側へ向かっての変位に追従して移動する突起部をさらに有し、前記突起部の先端の移動軌道に、前記突起部とともに前記ロック構造を構成するロック部が設けられ、前記突起部の前記先端が前記ロック部に当接することで、前記先端部が前記壁側から離れる方向へ戻らないようにロックされる。  
第２の発明によれば、突起部の先端がロック部につっかえ棒のように引っ掛かって、先端部の壁から離れる方向への移動がロックされる。  
第３の発明は、第２の発明において、前記ロック部は、段差をもっている。  
第３の発明によれば、段差の側壁が障壁となって、確実に、突起部の移動、すなわち先端部の壁から離れる方向への移動がロックされる。  
第４の発明は、第２または第３の発明において、前記乾式目地は、前記先端部の変位の支点となる薄肉部を有し、前記先端部が前記壁側から離れる方向へ戻らないようにロックされた状態において、前記薄肉部の下方に前記突起部が位置する。  
第４の発明によれば、使用者の荷重が薄肉部にかかっても、その荷重を突起部も負担することができ、薄肉部の広がりによる破損や変形を抑制することができる。  
第５の発明の乾式目地の取付構造は、水まわりユニットルームに設置される浴槽と、前記浴槽のリムの上面に載置される壁と、前記リムと前記壁とに当接することで前記リムと前記壁との接続部分を覆う乾式目地と、を有する水まわりユニットルームにおける乾式目地の取付構造において、前記乾式目地は、前記リムに接続されている基端部と、使用者の操作によって移動可能な先端部と、を有し、前記壁側へ向かって変位した前記乾式目地の前記先端部が前記壁に当接した状態において、前記先端部が前記壁側から離れる方向へ戻らないようにロックされるロック構造を有することを特徴とする。  
第５の発明によれば、乾式目地の先端部の復元力（壁に対する押し付け力）が比較的弱い場合であっても、振動等により先端部が壁から離れてしまうことを防止でき、先端部を壁にしっかりと接触させた状態を維持できる。  
第６の発明の乾式目地の取付構造は、水まわりユニットルームに設置される壁と、前記壁に載置される天井と、前記天井と前記壁とに当接することで前記天井と前記壁との接続部分を覆う乾式目地と、を有する水まわりユニットルームにおける乾式目地の取付構造において、前記乾式目地は、前記天井に接続されている基端部と、使用者の操作によって移動可能な先端部と、を有し、前記壁側へ向かって変位した前記乾式目地の前記先端部が前記壁に当接した状態において、前記先端部が前記壁側から離れる方向へ戻らないようにロックされるロック構造を有することを特徴とする。
第６の発明によれば、乾式目地の先端部の復元力（壁に対する押し付け力）が比較的弱い場合であっても、振動等により先端部が壁から離れてしまうことを防止でき、先端部を壁にしっかりと接触させた状態を維持できる。  
第７の発明の乾式目地は、基端部と、使用者の操作によって移動可能な先端部であって、前記基端部が水まわりユニットルームに設置される洗い場床、浴槽のリム、または天井に接続された状態で、前記洗い場床または前記浴槽の前記リムの上面に載置される、または前記天井が載置される壁に当接して、前記洗い場床、前記リム、または前記天井と、前記壁との接続部分を覆うことが可能な先端部と、前記壁側へ向かって変位した前記乾式目地の前記先端部が前記壁に当接した状態において、前記先端部が前記壁側から離れる方向へ戻らないようにロックするロック構造と、を有することを特徴とする。  
第７の発明によれば、乾式目地の先端部の復元力（壁に対する押し付け力）が比較的弱い場合であっても、振動等により先端部が壁から離れてしまうことを防止でき、先端部を壁にしっかりと接触させた状態を維持できる。
【発明の効果】
【０００７】
本発明によれば、壁の組み立てを邪魔せずに、壁への押し付け力を確保できる乾式目地の取付構造および乾式目地を提供できる。
【図面の簡単な説明】
【０００８】
【図１】本発明の実施形態に係る浴室の斜視図。
【図２】本発明の実施形態に係る乾式目地の取付構造を示す模式断面図。
【図３】図２における一部分の拡大図。
【図４】本発明の実施形態に係る乾式目地を用いた洗い場床と壁との接続方法を示す模式断面図。
【図５】本発明の実施形態に係る乾式目地を用いた洗い場床と壁との接続方法を示す模式断面図。
【図６】本発明の実施形態に係る乾式目地の取付構造を示す模式断面図。
【図７】本発明の実施形態に係る乾式目地の取付構造を示す模式断面図。
【図８】本発明の実施形態に係る乾式目地の取付構造を示す模式断面図。
【図９】本発明の実施形態に係る乾式目地の取付構造を示す模式断面図。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、本発明の実施形態に係る水まわりユニットルームの一例としての浴室１００の模式斜視図である。
【００１１】
浴室１００は、浴槽１０と、洗い場床２０と、天井８３と、壁８１、８２とを備えている。壁８１は洗い場床２０の上に載置されている。壁８２は浴槽１０のリム１１の上面に載置されている。天井８３は、壁８１、８２の上に載置されている。
【００１２】
図２は、洗い場床２０と壁８１との接続部分の模式断面図である。
【００１３】
洗い場床２０は、基材２１と、基材２１の上に設けられた表皮材２３と、基材２１と表皮材２３との間に設けられたクッション材２２とを有する。
【００１４】
基材２１は、例えば熱可塑性樹脂からなる。クッション材２２は、例えば発泡ポリウレタンからなる。表皮材２３の上面は浴室空間２００に露出し、表皮材２３の上面には、水はけ性の向上や滑り防止のための凹凸パターンが形成されている。
【００１５】
基材２１の外周部に凹部２１ａが設けられている。壁８１は、基材２１の凹部２１ａの底面上に載置されている。
【００１６】
壁８１は、鋼板８１ａと、母材（例えば石膏ボード）８１ｂとを含み、鋼板８１ａの下端部は基材２１の外縁部に向かって屈曲している。鋼板８１ａの下端部は、基材２１の凹部２１ａに設けられたガイドピース９１に固定され、壁８１と洗い場床２０との位置ずれが防止されている。
【００１７】
洗い場床２０の上方の空間において壁８１よりも内側（図２において壁８１よりも左側）の空間は、使用者が湯水を使う浴室空間２００である。洗い場床２０と壁８１とが形成するコーナーに、乾式目地３０が設けられている。乾式目地３０は、洗い場床２０と壁８１とに当接することで、洗い場床２０と壁８１との接続部分を覆っている。
【００１８】
図３は、図２において乾式目地３０が設けられた部分の拡大図である。
【００１９】
乾式目地３０は、洗い場床２０に接続されている基端部４０と、弾性部５０とを有する。基端部４０は、例えばエラストマーからなる。弾性部５０は、例えば、基端部４０よりも柔らかいエラストマーからなる。
【００２０】
基端部４０は、インナー部４１と、アウター部４２と、立ち上がり部４３とを有する。インナー部４１、アウター部４２、および立ち上がり部４３は一体に設けられている。
【００２１】
インナー部４１の下面およびアウター部４２の下面は、例えば両面テープ９３によって基材２１の上面に固定されている。または、インナー部４１の下面およびアウター部４２の下面を、接着剤により基材２１の上面に固定してもよい。
【００２２】
インナー部４１は、基材２１と表皮材２３との間に挟み込まれている。インナー部４１の上面は、接着剤または両面テープによって、表皮材２３の下面と固定されている。これにより、振動等による乾式目地３０の浮きや外れを防止できる。
【００２３】
図２に示すように、クッション材２２は、基材２１における凹部２１ａの近傍には設けられていない。クッション材２２は、表皮材２３と乾式目地３０のインナー部４１との間、およびインナー部４１と基材２１との間には設けられおらず、荷重を受けたクッション材２２のたわみ等によって乾式目地３０が浮いたり外れることを防止できる。
【００２４】
基端部４０の立ち上がり部４３は、インナー部４１とアウター部４２との境界部から上方に立ち上がって設けられている。立ち上がり部４３は、表皮材２３の端面（側面）に、接着剤または両面テープによって固定されている。
【００２５】
アウター部４２は、インナー部４１から壁８１側に向かって延出している。
【００２６】
乾式目地３０の弾性部５０は、基端部４０の立ち上がり部４３の上面に固定された固定端部５３と、先端部５１と、先端部５１と固定端部５３との間に設けられた薄肉部５２とを有する。固定端部５３、先端部５１、および薄肉部５２は一体に設けられている。
【００２７】
薄肉部５２の厚さは、固定端部５３の厚さおよび先端部５１の厚さよりも薄く、弾性部５０は、薄肉部５２で屈曲することができる。
【００２８】
先端部５１は、薄肉部５２から壁８１側に向かって延出している。弾性部５０の自然状態において、固定端部５３の上面と、先端部５１における薄肉部５２側の上面とは段差のないほぼフラットな面を形成する。その自然状態から、使用者の操作により、先端部５１を、薄肉部５２を支点にして上方に持ち上げるように移動（弾性変形）させることができる。
【００２９】
その先端部５１の上方に持ち上がった状態を維持する外力が解除されると、復元力により、先端部５１は薄肉部５２を支点にして壁８１側へ向かって倒れ込むように変位する。
【００３０】
先端部５１における薄肉部５２の近傍の下面には突起部６３が設けられている。突起部６３は、基端部４０のアウター部４２に向かって突出している。
【００３１】
アウター部４２の上面における薄肉部５２の下方には、リブまたは凸形状の第１ロック部６１が設けられている。第１ロック部６１は、突起部６３とともに、後述する第１ロック構造を構成する。リブまたは凸形状の第１ロック部６１は、基端部４０のアウター部４２の上面から突出し、アウター部４２の上面との間に段差をもつ。
【００３２】
第１ロック構造は、乾式目地３０の先端部５１と壁８１とが当接した状態となるまで先端部５１を壁８１側へ向かって変位させた状態で、先端部５１が壁８１側から離れる方向へ戻らないようにロックする。
【００３３】
基端部４０のアウター部４２の先端は、湾曲しつつ上方に向かって突出し、第２ロック部６２を形成する。第２ロック部６２は、突起部６３とともに、後述する第２ロック構造を構成する。第２ロック構造は、乾式目地３０の先端部５１と壁８１とが当接した状態から先端部５１を壁８１側から離れる方向へ変位させた際に、先端部５１が壁８１側へ近づく方向に戻らないようにロックする。
【００３４】
アウター部４２の先端には止水部６４が設けられている。止水部６４は、アウター部４２の先端から壁８１側に向かって延出している。止水部６４は、基端部４０および弾性部５０よりも柔らかく、例えばゴムからなる。
【００３５】
図４および図５は、本発明の実施形態に係る乾式目地３０を用いた洗い場床２０と壁８１との接続方法を示す模式断面図である。
【００３６】
壁８１を洗い場床２０に載置する前に、図４に示すように、乾式目地３０を洗い場床２０に取り付ける。乾式目地３０の基端部４０のインナー部４１およびアウター部４２の下面が、例えば両面テープ９３によって、洗い場床２０の基材２１の上面に固定される。基材２１の上には、クッション材２２を介して表皮材２３が積層され、表皮材２３の外縁部側の下面は乾式目地３０のインナー部４１の上面に固定され、表皮材２３の端面（側面）は立ち上がり部４３の側面に固定される。表皮材２３と乾式目地３０とは、両面テープまたは接着剤により固定される。
【００３７】
乾式目地３０が洗い場床２０に取り付けられた状態において、止水部６４は、基材２１の凹部２１ａに重なる位置に延出している。
【００３８】
洗い場床２０への乾式目地３０の取り付けは、出荷前の工場で行うことができる。そして、乾式目地３０が取り付けられた洗い場床２０を施工現場に搬送して、その施工現場で洗い場床２０に壁８１を立て込む。
【００３９】
壁８１を立て込む前に、図４に示すように、乾式目地３０の先端部５１を、薄肉部５２を支点にして上方に上げておく。なお、工場で乾式目地３０を洗い場床２０に取り付けた際には、先端部５１は水平または水平に近い状態に倒され、その状態で洗い場床２０は施工現場に搬送される。
【００４０】
倒された状態の先端部５１は、施工現場において、基材２１の凹部２１ａに重ならない位置に持ち上げられる。浴室の組み立て作業者が、薄肉部５２を支点にして先端部５１を持ち上げる。このとき、先端部５１には自然状態に戻ろうとする復元力が作用するが、突起部６３を基端部４０の先端の第２ロック部６２に当接させることで、先端部５１が上方に持ち上がった状態を維持する。突起部６３の先端は、例えば、曲面状に形成され、丸みを帯びている。第２ロック部６２の上面と内側の側面とが形成するコーナー部は、突起部６３の先端よりも大きい曲率をもち、その第２ロック部６２のコーナー部が突起部６３の先端に押し当たる摩擦力により、突起部６３の下方への移動が規制され、先端部５１の壁８１側への変位が規制される。
【００４１】
その状態で、図５に示すように、壁８１の下端部を基材２１の凹部２１ａに挿入し、ガイドピース９１に固定する。このとき、止水部６４の先端部が、壁８１の鋼板８１ａの表面に接触しつつ下方に押し込まれ、止水部６４の先端部を壁８１に密着させることができる。これにより、浴室空間２００が、壁８１よりも外側の空間と水密に遮断される。
【００４２】
乾式目地３０の先端部５１は、基材２１の凹部２１ａに重ならない位置まで退避しているので、壁８１の凹部２１ａへの立て込みの邪魔にならない。自然状態から持ち上げられた先端部５１は、復元力により、壁８１側へ近づく方向に向かって付勢されているが、突起部６３が第２ロック部６２につっかえ棒のように当接することで、先端部５１は壁８１側へ近づく方向に戻らないようにロックされる。このような突起部６３と第２ロック部６２によるロック状態（構造）を第２ロック状態（構造）とする。
【００４３】
したがって、乾式目地３０の先端部５１の復元力（先端部５１が壁８１側に近づく方向に戻ろうとする力）が強い場合であっても、先端部５１は凹部２１ａに重ならない位置に退避しており、壁８１と洗い場床２０との接続作業の邪魔にならない。また、先端部５１の上記復元力を適切な強さにすることで、先端部５１を壁８１側に戻したときに、図２および図３に示すように、先端部５１が適切な押し付け力で壁８１に当接し、先端部５１と壁８１との間に隙間を生じさせない。
【００４４】
壁８１を洗い場床２０に立て込んだ後、突起部６３と第２ロック部６２との当接による第２ロック状態を解除する。この第２ロック状態の解除により、先端部５１は、復元力により、薄肉部５２を支点にして壁８１側に向かって倒れるように変位し、図２および図３に示すように、先端部５１は壁８１に当接する。
【００４５】
先端部５１が壁８１に当接した状態で先端部５１にはなお自然状態に戻ろうとする復元力が働いており、先端部５１は壁８１に押し付けられる。そのため、先端部５１を壁８１に対して隙間無く密着させることができ、壁８１と洗い場床２０との接続部分（止水部６４による止水箇所も含む）を先端部５１で覆い隠すことができる。
【００４６】
このように、乾式目地３０は、壁８１と洗い場床２０との接続部分を隠す意匠部材として機能する。そして、作業者は突起部６３と第２ロック部６２との当接を解除するだけで、先端部５１の復元力を利用して先端部５１を確実に壁８１に押し当てることができ、作業者による仕上げ品質の差が生じにくい。
【００４７】
突起部６３は、先端部５１の壁８１側へ向かっての変位に追従して移動する。このときの突起部６３の先端の移動軌道に、第１ロック部６１が設けられている。すなわち、突起部６３の先端の、薄肉部５２を中心にした移動軌道半径内の領域に、第１ロック部６１が存在する。
【００４８】
図３に示すように、突起部６３の先端が、リブまたは凸形状の第１ロック部６１を乗り越えて、第１ロック部６１と立ち上がり部４３との間の領域で、アウター部４２の上面と第１ロック部６１との段差に引っ掛かるように第１ロック部６１に当接することで、先端部５１が壁８１側から離れる方向へ戻らないようにロックされる。これにより、先端部５１の復元力（壁８１に対する押し付け力）が比較的弱い場合であっても、振動等により先端部５１が壁８１から離れてしまうことを防止でき、先端部５１を壁８１にしっかりと接触させた状態を維持できる。このような突起部６３と第１ロック部６１によるロック状態（構造）を第１ロック状態（構造）とする。
【００４９】
復元力により先端部５１が壁８１側に変位すると、突起部６３の先端はアウター部４２の上面に接触しつつアウター部４２の上面に沿って第１ロック部６１に当接する位置まで移動する。この後、作業者が先端部５１をさらに下方に押し込むことで、突起部６３の先端を、第１ロック部６１を乗り越えさせて、立ち上がり部４３側に移動させることができる。この突起部６３の先端が第１ロック部６１を乗り越える際の振動、音、またはクリック感を作業者は感じることで、上記第１ロック状態を確実に認知することができ、ロック不良を防止できる。
【００５０】
図３に示すように、先端部５１が壁８１側から離れる方向へ戻らないようにロックされた第１ロック状態において、薄肉部５２の下方に突起部６３が位置し、その突起部６３の先端はアウター部４２に対してつっかえ棒のように当接している。これにより、例えば使用者の荷重が薄肉部５２にかかっても、その荷重を突起部６３も負担することができ、薄肉部５２の広がりによる破損や変形を抑制することができる。
【００５１】
本発明の実施形態の乾式目地３０の取付構造は、浴槽１０のリム１１と、壁８２との接続部分にも適用することができる。
【００５２】
図６は、浴槽１０のリム１１と、壁８２との接続部分の模式断面図である。
【００５３】
壁８２は、浴槽１０のリム１１の上面に載置されている。壁８２は、鋼板８２ａと、母材（例えば石膏ボード）８２ｂとを含み、鋼板８２ａの下端部は浴槽１０の外縁部に向かって屈曲している。鋼板８２ａの下端部は、浴槽１０のリム１１に形成された凹部１１ａの底面に載置されている。
【００５４】
乾式目地３０は、リム１１に接続されている基端部１４０と、弾性部５０とを有する。基端部１４０は、例えばエラストマーからなる。弾性部５０は、例えば、基端部１４０よりも柔らかいエラストマーからなる。
【００５５】
基端部１４０は、立ち上がり部１４１と、延出部１４２とを有する。立ち上がり部１４１および延出部１４２は一体に設けられている。
【００５６】
立ち上がり部１４１は、両面テープまたは接着剤によって、リム１１の凹部１１ａの内壁および底面に固定されている。
【００５７】
延出部１４２は、凹部１１ａ内において、立ち上がり部１４１から壁８２側に向かって延出している。延出部１４２の先端は、湾曲しつつ上方に向かって突出し、第２ロック部６２を形成する。
【００５８】
弾性部５０は、基端部１４０の立ち上がり部１４１の上面に固定された固定端部５３と、先端部５１と、先端部５１と固定端部５３との間に設けられた薄肉部５２とを有する。その他構成は、上記実施形態と同じである。
【００５９】
延出部１４２の上面における薄肉部５２の下方には、リブまたは凸形状の第１ロック部６１が設けられている。また、延出部１４２の先端には止水部６４が設けられている。止水部６４は、延出部１４２の先端から壁８２側に向かって延出している。止水部６４は、基端部１４０および弾性部５０よりも柔らかく、例えばゴムからなる。
【００６０】
壁８２をリム１１に載置する前に、乾式目地３０をリム１１に取り付ける。その後、施工現場において壁８２を立て込む前に、前述した実施形態と同様、乾式目地３０の先端部５１を、薄肉部５２を支点にして上方に上げておく。突起部６３を基端部１４０の第２ロック部６２に当接させることで、先端部５１が上方に持ち上がった状態を維持する。
【００６１】
その状態で、壁８２の下端部をリム１１の凹部１１ａに挿入し、凹部１１ａの底面に載置する。このとき、止水部６４の先端部が、壁８２の鋼板８２ａの表面に接触しつつ下方に押し込まれ、止水部６４の先端部を壁８２に密着させることができる。これにより、浴室空間２００が、壁８２よりも外側の空間と水密に遮断される。
【００６２】
乾式目地３０の先端部５１は、壁８２の立て込み領域に重ならない位置まで退避しているので、壁８２の凹部１１ａへの立て込みの邪魔にならない。自然状態から持ち上げられた先端部５１は、復元力により、壁８２側へ近づく方向に向かって付勢されているが、突起部６３が第２ロック部６２につっかえ棒のように当接することで、先端部５１は壁８２側へ近づく方向に戻らないようにロックされる。
【００６３】
壁８２をリム１１に立て込んだ後、突起部６３と第２ロック部６２との当接による第２ロック状態を解除する。この第２ロック状態の解除により、先端部５１は、復元力により、薄肉部５２を支点にして壁８２側に向かって倒れるように変位し、図６に示すように、先端部５１は壁８２に当接する。
【００６４】
先端部５１が壁８２に当接した状態で先端部５１にはなお自然状態に戻ろうとする復元力が働いており、先端部５１は壁８２に押し付けられる。そのため、先端部５１を壁８２に対して隙間無く密着させることができ、壁８２とリム１１との接続部分（止水部６４による止水箇所も含む）を先端部５１で覆い隠すことができる。
【００６５】
このように、乾式目地３０は、壁８２とリム１１との接続部分を隠す意匠部材として機能する。そして、作業者は突起部６３と第２ロック部６２との当接を解除するだけで、先端部５１の復元力を利用して先端部５１を確実に壁８２に押し当てることができ、作業者による仕上げ品質の差が生じにくい。
【００６６】
突起部６３の先端が、リブまたは凸形状の第１ロック部６１を乗り越えて、第１ロック部６１と立ち上がり部１４１との間の領域で、延出部１４２の上面と第１ロック部６１との段差に引っ掛かるように第１ロック部６１に当接することで、先端部５１が壁８２側から離れる方向へ戻らないようにロックされる。これにより、先端部５１の復元力（壁８２に対する押し付け力）が比較的弱い場合であっても、振動等により先端部５１が壁８２から離れてしまうことを防止でき、先端部５１を壁８２にしっかりと接触させた状態を維持できる。
【００６７】
先端部５１が壁８２側から離れる方向へ戻らないようにロックされた第１ロック状態において、薄肉部５２の下方に突起部６３が位置し、その突起部６３の先端は延出部１４２に対してつっかえ棒のように当接している。これにより、例えば使用者の荷重が薄肉部５２にかかっても、その荷重を突起部６３も負担することができ、薄肉部５２の広がりによる破損や変形を抑制することができる。
【００６８】
本発明の実施形態の乾式目地３０の取付構造は、壁８１、８２と、天井８３との接続部分にも適用することができる。
【００６９】
図７は、壁８１、８２と、天井８３との接続部分の模式断面図である。天井８３には凹部８３ａが形成され、その凹部８３ａ内に、壁８１、８２の鋼板８１ａ、８２ａの上端部が挿入されている。凹部８３ａは下方に向けて開口しており、凹部８３ａの底面に相当する部分が図７においては上面となっている。その凹部８３ａの底面が、壁８１、８２の鋼板８１ａ、８２ａの上端部の上に載置されている。
【００７０】
図６の乾式目地３０と同じ構成の乾式目地３０が、図６とは上下が逆さまの状態で、天井８３と、壁８１、８２との接続部に設けられている。
【００７１】
壁８１、８２に天井８３を載置する前に、乾式目地３０を天井８３に取り付ける。乾式目地３０の基端部１４０が、天井８３の凹部８３ａの側面及び底面に、両面テープまたは接着剤により固定される。
【００７２】
その後、施工現場において、乾式目地３０の先端部５１を、薄肉部５２を支点にして、壁８１、８２から離れる方向（図７において右方）に変位させる。そして、突起部６３を基端部１４０の第２ロック部６２に当接させることで、先端部５１が壁８１、８２から離れた状態を維持する。
【００７３】
その状態で、壁８１、８２の鋼板８１ａ、８２ａの上端部が天井８３の凹部８３ａに挿入されるように、天井８３を壁８１、８２の上に載置する。このとき、止水部６４の先端部が、壁８１、８２の鋼板８１ａ、８２ａの表面に接触しつつ上方に押し込まれ、止水部６４の先端部を壁８１、８２に密着させることができる。これにより、浴室空間２００が、壁８１、８２よりも外側の空間と水密に遮断される。
【００７４】
乾式目地３０の先端部５１は、壁８１、８２と天井８３との接続に邪魔にならない位置まで退避している。その退避位置にある先端部５１は、復元力により、壁８１、８２側へ近づく方向に向かって付勢されているが、突起部６３が第２ロック部６２につっかえ棒のように当接することで、先端部５１は壁８１、８２側へ近づく方向に戻らないようにロックされる。
【００７５】
天井８３を壁８１、８２に載置した後、突起部６３と第２ロック部６２との当接による第２ロック状態を解除する。この第２ロック状態の解除により、先端部５１は、復元力により、薄肉部５２を支点にして壁８１、８２側に向かって変位し、図７に示すように、先端部５１は壁８１、８２に当接する。
【００７６】
先端部５１が壁８１、８２に当接した状態で先端部５１にはなお自然状態に戻ろうとする復元力が働いており、先端部５１は壁８１、８２に押し付けられる。そのため、先端部５１を壁８１、８２に対して隙間無く密着させることができ、壁８１、８２と天井８３との接続部分を先端部５１で覆い隠すことができる。
【００７７】
このように、乾式目地３０は、壁８１、８２と天井８３との接続部分を隠す意匠部材として機能する。そして、作業者は突起部６３と第２ロック部６２との当接を解除するだけで、先端部５１の復元力を利用して先端部５１を確実に壁８１、８２に押し当てることができ、作業者による仕上げ品質の差が生じにくい。
【００７８】
突起部６３の先端が、リブまたは凸形状の第１ロック部６１を乗り越えて、第１ロック部６１と立ち上がり部４３との間の領域で、アウター部４２の下面と第１ロック部６１との段差に引っ掛かるように第１ロック部６１に当接することで、先端部５１が壁８１、８２側から離れる方向へ戻らないようにロックされる。これにより、先端部５１の復元力（壁８１、８２に対する押し付け力）が比較的弱い場合であっても、振動等により先端部５１が壁８１、８２から離れてしまうことを防止でき、先端部５１を壁８１、８２にしっかりと接触させた状態を維持できる。
【００７９】
洗い場床２０に載置される壁８１は、基材２１に形成された凹部２１ａの底面上に載置されることに限らず、図８に示すように、基材２１の上面に載置されてもよい。
【００８０】
壁８１と基材２１との接続部に、例えばシリコーン等のコーキング材９４が形成される。乾式目地３０の先端部５１は、壁８１と基材２１との接続部（コーキング材９４も含む）を覆い隠しつつ、壁８１に当接する。
【００８１】
図９は、乾式目地３０の先端部５１と壁８１とが当接した状態において、先端部５１が壁８１から離れる方向へ戻らないようにロックする第１ロック構造の他の例を示す模式断面図である。
【００８２】
前述したように、突起部６３は、先端部５１の壁８１側へ向かっての変位に追従して移動する。このときの突起部６３の先端の、薄肉部５２を中心にした移動軌道半径内の領域に、突起部６３の先端と物理的に干渉する構造があれば、突起部６３の移動を規制して、先端部５１の壁８１から離れる方向への戻りをロックすることができる。
【００８３】
その干渉構造の一例として、前述した図３に示すようなリブまたは凸形状の第１ロック部６１が挙げられる。または、凹形状の第１ロック部を設けてもよい。
【００８４】
突起部６３の先端の移動軌道上に凹凸のような段差があれば、その段差の側壁が突起部６３の壁８１側への移動の障壁となり、結果として先端部５１の壁８１から離れる方向への移動を確実に規制することができる。
【００８５】
また、例えば、突起部６３の突出長と、第１ロック状態で突起部６３が位置する空間のサイズとの相対的な関係を適切に設定することで、突起部６３の移動軌道に凹凸のような段差を設けなくても、図９に示すように、突起部６３の先端が基端部４０のアウター部４２の上面（面状の第１ロック部）につっかえ棒のように引っ掛かって、突起部６３の壁８１側への移動、すなわち先端部５１が壁８１から離れる方向への移動をロックすることが可能となる。
【００８６】
以上、具体例を参照しつつ本発明の実施形態について説明した。しかし、本発明は、それらに限定されるものではなく、本発明の技術的思想に基づいて種々の変形が可能である。
【符号の説明】
【００８７】
１０…浴槽、１１…リム、２０…洗い場床、２１…基材、２２…クッション材、２３…表皮材、３０…乾式目地、４０,１４０…基端部、５０…弾性部、５１…先端部、６１…第１ロック部、６２…第２ロック部、６３…突起部、６４…止水部、８１,８２…壁、８３…天井、１００…浴室
【図１】
2020002754.tif 000003
【図２】
2020002754.tif 000004
【図３】
2020002754.tif 000005
【図４】
2020002754.tif 000006
【図５】
2020002754.tif 000007
【図６】
2020002754.tif 000008
【図７】
2020002754.tif 000009
【図８】
2020002754.tif 000010
【図９】
2020002754.tif 000011